(57)【要約】【課題】被検眼の撮影に必要な光学系のメンテナンスを適切に行うことができる眼科装置を提供する。【解決手段】対物レンズ１１ｃを介して被検眼Ｅを撮影する眼科装置１００であって、対物レンズ１１ｃの前に設置されたテスト被写体の撮影画像を取得する受光系１１ｂと、撮影画像に基づいて得られた取得データである撮影画像の画像データと基準データとの比較に基づいて対物レンズ１１ｃの診断結果であるメンテナンス指示を出力する管理サーバ１０２と、メンテナンス指示を表示する装置側表示部１３と、を備えている。【選択図】図１
2020156862.tif 000002
【特許請求の範囲】
【請求項１】
光学系を介して被検眼を撮影する眼科装置であって、
前記光学系を介して撮影した撮影画像を取得する画像取得部と、
前記撮影画像に基づいて得られた取得データと基準データとの比較に基づいて前記光学系の診断結果を出力するデータ判断部と、
前記診断結果を表示する結果表示部と、
を備えることを特徴とする眼科装置。
【請求項２】
請求項１に記載された眼科装置において、
前記画像取得部は、対物レンズの前に設置されたテスト被写体の撮影画像を取得し、
前記データ判断部は、前記テスト被写体の撮影画像に基づいて得られた取得データと前記基準データとの比較に基づいて前記光学系の診断結果を出力する
ことを特徴とする眼科装置。
【請求項３】
請求項１又は請求項２に記載された眼科装置において、
前記データ判断部は、前記撮影画像の画像データと、前記撮影画像を解析して得られた撮影対象の測定データと、の少なくとも一方を前記取得データとして用いる
ことを特徴とする眼科装置。
【請求項４】
請求項１から請求項３のいずれか一項に記載された眼科装置において、
前記データ判断部は、前記取得データと前記基準データが入力される学習済みモデルを有し、前記学習済みモデルを用いて前記取得データと前記基準データとの比較からデータ差分を特定し、前記データ差分に基づいて前記診断結果を出力する人工知能処理部を有する
ことを特徴とする眼科装置。
【請求項５】
請求項１から請求項４のいずれか一項に記載された眼科装置において、
ネットワークを介して前記取得データを前記データ判断部に送信するデータ送信部と、前記ネットワークを介して前記データ判断部から前記診断結果を受信する結果受信部と、を備える
ことを特徴とする眼科装置。
【請求項６】
請求項５に記載された眼科装置において、
前記データ判断部は、前記取得データ及び前記基準データを表示する表示部と、前記診断結果を入力する入力部と、を有する
ことを特徴とする眼科装置。
【請求項７】
光学系を介して被検眼を撮影する眼科装置のメンテナンス方法であって、
前記光学系を介して撮影した撮影画像を取得し、
前記撮影画像に基づいて得られた取得データと基準データとの比較に基づいて前記光学系の診断結果を出力し、
前記診断結果を表示する
ことを特徴とする眼科装置のメンテナンス方法。
【請求項８】
請求項７に記載された眼科装置のメンテナンス方法において、
前記撮影画像を予め設定された所定の間隔で定期的に取得し、前記撮影画像を用いて前記診断結果を定期的に出力する
ことを特徴とする眼科装置のメンテナンス方法。
【発明の詳細な説明】
【技術分野】
【０００１】
本発明は、眼科装置及び眼科装置のメンテナンス方法に関するものである。
【背景技術】
【０００２】
従来から、遠隔操作によって被検眼の検査を行う眼科装置が知られている（例えば、特許文献１参照）。
【先行技術文献】
【特許文献】
【０００３】
【特許文献１】特開２０１７−１４３９９２号公報
【発明の概要】
【発明が解決しようとする課題】
【０００４】
ところで、眼科装置では、被検眼を撮影した撮影画像に基づいて被検眼の検査を行うが、被検眼に対向する対物レンズやその他の内蔵レンズにゴミ等の異物や傷が付いていたり、眼科装置に設けた各種の機構の動作不良等が生じていると、被検眼を撮影した撮影画像に影やモヤ、黒点等が映り込んでしまう。そして、撮影画像に影等が映り込んだことで検眼精度が低下するおそれがある。そのため、レンズクリーニングを行ったり、各レンズの傷の有無の判定や絞り調整等のメンテナンスを行う必要がある。しかしながら、従来の眼科装置では、遠隔操作によって被検眼の検査を行うため、眼科装置のメンテナンスに精通したスタッフが眼科装置の傍に付き添っているとは限らなかった。そのため、レンズクリーニング等のメンテナンスを適切に行うことが難しいという問題が生じていた。
【０００５】
本発明は、上記問題に着目してなされたもので、被検眼の撮影に必要な光学系のメンテナンスを適切に行うことができる眼科装置及び眼科装置のメンテナンス方法を提供することを目的とする。
【課題を解決するための手段】
【０００６】
上記目的を達成するため、本発明の眼科装置は、光学系を介して被検眼を撮影する眼科装置であって、光学系を介して撮影した撮影画像を取得する画像取得部と、撮影画像に基づいて得られた取得データと基準データとの比較に基づいて光学系の診断結果を出力するデータ判断部と、診断結果を表示する結果表示部と、を備える。
【０００７】
また、上記目的を達成するため、本発明の眼科装置のメンテナンス方法は、光学系を介して被検眼を撮影する眼科装置のメンテナンス方法であって、まず、光学系を介して撮影した撮影画像を取得する。次に、撮影画像に基づいて得られた取得データと基準データとの比較に基づいて光学系の診断結果を出力し、診断結果を表示する。
【発明の効果】
【０００８】
このように構成された眼科装置及び眼科装置のメンテナンス方法では、撮影画像を取得したら、この撮影画像に基づいて得られた取得データと基準データとを比較して光学系の診断結果を出力し、出力した診断結果を表示する。そのため、眼科装置の使用者は、表示された光学系の診断結果を確認することで、光学系のメンテナンスの有無や、必要なメンテナンスの内容等を把握することができる。よって、眼科装置のメンテナンスに精通したスタッフが眼科装置の傍に付き添っていなくても、対物レンズ等の被検眼の撮影に必要な光学系のメンテナンスを適切に行うことができる。
【図面の簡単な説明】
【０００９】
【図１】実施例１の眼科装置のシステム構成図である。
【図２】実施例１の眼科装置の検眼部の構成を示すブロック図である。
【図３】実施例１のサーバ側表示部の表示内容を示す説明図である。
【図４】実施例１の装置側表示部の表示内容を示す説明図である。
【図５】実施例１の眼科装置にて実行されるメンテナンス処理を示すフローチャートである。
【図６】基準データの一例としての標準的な眼底像の画像データである。
【図７】実施例２の眼科装置を示す構成図である。
【図８】装置側表示部の表示内容の他の例を示す説明図である。
【発明を実施するための形態】
【００１０】
以下、本発明の眼科装置及び眼科装置のメンテナンス方法を実施するための形態を、図面に示す実施例１及び実施例２に基づいて説明する。
【００１１】
（実施例１）
以下、実施例１の眼科装置１００の構成を、図１に基づいて説明する。
【００１２】
眼科装置１００は、被検眼Ｅ（図２参照）の撮影や観察、検査（以下、「検眼」という）を行う検眼部１０と、管理サーバ１０２（データ判断部）と、を備え、検眼部１０と管理サーバ１０２とはネットワークＮを介して通信可能である。
【００１３】
検眼部１０は、オートレフラクトメータや眼底カメラ等であり、一か所以上の施設１０１にそれぞれ一台以上設置されている。この検眼部１０は、ユーザによって操作されて検眼したり、ローカルメンテナンススタッフによって設置が行われたりする。ここで、ユーザ及びローカルメンテナンススタッフは、検眼部１０を直接操作する使用者であり、検眼部１０のメンテナンスに精通していない。つまり、ユーザやローカルメンテナンススタッフは、テスト被写体や被検眼Ｅを撮影した撮影画像に基づいて得られた取得データに基づいて、検眼部１０に設けたレンズや照明絞り等の撮影に必要な光学系の状態を適切に推定することができない。なお、ユーザとは、例えば病院スタッフや眼鏡店の店員等のいわゆる検者を指す。また、ローカルメンテナンススタッフとは、検眼部１０の販売代理店の店員等を指す。
【００１４】
また、「検眼部１０に設けたレンズ」とは、検眼部１０が有する撮影手段（後述する受光系１１ｂの撮像素子１１ｅ）と被検眼Ｅとの間に介装されるレンズであり、例えば対物レンズ１１ｃ（図２参照）である。そして、「テスト被写体を撮影した撮影画像に基づいて得られた取得データ」とは、ここでは、テスト被写体の撮影画像の画像データとする。
【００１５】
そして、検眼部１０では、対物レンズ１１ｃ（図２参照）の前に設置されたテスト被写体或いは被検眼Ｅを撮影し、撮影画像を取得する。なお、テスト被写体の設置は、検眼部１０を直接操作するユーザやローカルメンテナンススタッフによって行われる。そして、この検眼部１０は、テスト被写体又は被検眼Ｅの撮影画像を取得した後、この撮影画像に基づいて取得データを取得し、ネットワークＮを介してこの取得データを管理サーバ１０２に送信する。さらに、この検眼部１０では、ネットワークＮを介して管理サーバ１０２から返送された撮影に必要な光学系（後述する検眼系１１）の診断結果を受信し、受信した診断結果をユーザやローカルメンテナンススタッフに表示する。この結果、検眼部１０では、診断結果を確認したユーザやローカルメンテナンススタッフにより、表示された診断結果に基づいて、必要であれば検眼部１０に設けたレンズを含む撮影に必要な光学系（検眼系１１）のメンテナンス（例えば、対物レンズ１１ｃのクリーニング等）が行われる。
【００１６】
管理サーバ１０２は、データメモリ１０３と、ＡＩエンジン１０４と、サーバ側表示部１０５（表示部）と、サーバ側入力部１０６（入力部）と、サーバ側制御部１０７と、を備えている。この管理サーバ１０２は、ネットワークＮを介して検眼部１０から送信された取得データを受信する。また、管理サーバ１０４は、撮影に必要な光学系（検眼系１１）の診断結果を、ネットワークＮを介して取得データを送信した検眼部１０へ返送する。ここで、管理サーバ１０２は、上位メンテナンススタッフによって監視されている。上位メンテナンススタッフとは、眼科装置１００のメンテナンスに精通しており、テスト被写体又は被検眼Ｅを撮影した撮影画像に基づいて得られた取得データから、レンズの汚れや傷、照明絞りの位置等の撮影に必要な光学系（検眼系１１）の状態を適切に推定することが可能な人を指す。
【００１７】
データメモリ１０３は、テスト被写体又は被検眼Ｅの撮影画像から得られた取得データと比較するための基準データを記憶している。基準データは、例えば以下に列挙する各種のデータである。
・正常な対物レンズ１１ｃの前にテスト被写体を設置して得られる標準的な正常画像の画像データ
・出荷時に対物レンズ１１ｃの前にテスト被写体を設置して得られた出荷時画像の画像データ
・検眼部１０を使用する上で予め登録した登録画像の画像データ
・正常画像を解析して得られたテスト被写体の測定データ（球面度数、円柱度数、円柱軸等）
・標準的（正常）な眼底像の画像データ（図６参照）
・標準的（正常）な眼底像の画像を解析して得られた測定データ（球面度数、円柱度数、円柱軸等）
なお、眼底像の画像データや測定データは、複数の眼底像を統計処理して生成された画像データや統計データであってもよい。
【００１８】
ＡＩエンジン１０４（人工知能処理部）は、学習済みのＡＩモデルを有し、ネットワークＮを介して検眼部１０から送信された取得データと、データメモリ１０３から読み出した基準データとをＡＩモデルに入力する。ＡＩモデルでは、取得データと基準データとを比較し、この比較の結果、取得データと基準データとの差異（例えば、画像の大きさ、形状、色の違い等）を抽出する。そして、抽出した差異からデータ差分の種別及び位置を特定する。なお、「データ差分」とは、取得データが画像データである場合には、撮影画像上に生じた現象であり、このときの「データ差分の種別」は、例えば、モヤ、ゴースト、影、フレア、黒点、白点、部分的に明るい等となる。また、「データ差分の位置」とは、モヤ等のデータ差分が生じた画像上の位置である。一方、取得データが測定データである場合には、「データ差分」は、測定データの差異であり、このときの「データ差分の種別」は、測定データの種類（球面度数等）となる。
【００１９】
ＡＩエンジン１０４は、データ差分の種別及び位置を特定したら、ＡＩモデルを用いてデータ差分の種別及び位置に基づき、データ差分の発生原因個所と、データ差分の発生原因を推定する。なお、「データ差分の発生原因個所」とは、例えば、対物レンズ１１ｃや照明用レンズ等のレンズの種類、ＣＣＤ等である。また、「データ差分の発生原因」は、例えば、レンズに対するゴミや埃の付着、レンズ汚れ、各光学素子の位置ずれ等の装置の故障、機構動作不良、撮影光量又は各種ゲインの設定不備、コントラストが弱い、カメラ設定（ホワイトバランス等）の不備、部品劣化、被検者の頭が動いた、被検者が強度近視、小瞳孔撮影、被検眼涙液状況の不良、瞼のかかり、被検眼の疾患（白内障等）等である。
【００２０】
そして、ＡＩエンジン１０４は、推定した原因個所及び原因を総合的に判断し、検眼部１０に設けた撮影に必要な光学系（検眼系１１）の診断結果を特定し、出力する。ここで、ＡＩエンジン１０４から出力される診断結果は、例えば、対物レンズ１１ｃや照明系レンズ、画角補正レンズ等のクリーニング、各種レンズの位置調整、精度確認、機構動作調整、撮影光量や各種ゲインの調整等のメンテナンス指示である。また、この診断結果にメンテナンスの対応者（ユーザ又はローカルメンテナンススタッフが処置するのか、上位メンテナンススタッフが対応するのか、メーカに修理を依頼するのか等）を含めてもよい。
【００２１】
サーバ側表示部１０５は、例えば液晶画面等によって構成され、上位メンテナンススタッフによって目視可能な位置に設けられている。このサーバ側表示部１０５には、図３に示すように、データメモリ１０３から読み出した基準データ（正常画像の画像データ、破線Ａで囲む部分）と、検眼部１０から送信された取得データ（テスト被写体又は被検眼Ｅの画像データ、破線Ｂで囲む部分）と、ＡＩエンジン１０４から出力された診断結果（メンテナンス指示、破線Ｃで囲む部分）と、が表示される。なお、図３に表示した診断結果（破線Ｃで囲む部分）では、取得データの「２」と番号が振られた箇所についての診断結果を表示している。
【００２２】
サーバ側入力部１０６は、例えばキーボードやマウス等によって構成され、上位メンテナンススタッフによって操作可能な位置に設けられている。このサーバ側入力部１０６は、サーバ側表示部１０５に表示された取得データ及び基準データを確認した上位メンテナンススタッフが、ＡＩエンジン１０４から出力された診断結果が間違っていると判断したとき操作される。このサーバ側入力部１０６を介して入力された情報によって、ＡＩエンジン１０４から出力された診断結果が修正される。
【００２３】
サーバ側制御部１０７は、マイクロプロセッサ、ＲＡＭ、ＲＯＭ、ハードディスクドライブ、通信インターフェース等を有し、検眼部１０から送信された取得データを受信して、ＡＩエンジン１０４に入力する。さらに、このサーバ側制御部１０７は、ＡＩエンジン１０４から出力された診断結果が、上位メンテナンススタッフによって修正されていないときには、ＡＩエンジン１０４から出力された診断結果を、そのまま取得データを送信した検眼部１０に返送する。また、ＡＩエンジン１０４の診断結果が上位メンテナンススタッフによって修正されていれば、修正された診断結果を、取得データを送信した検眼部１０に返送する。
【００２４】
なお、上位メンテナンススタッフによって診断結果が修正された場合には、修正された診断結果と取得データとが関連付けられてＡＩエンジン１０４へとフィードバックされる。ＡＩエンジン１０４が有するＡＩモデルは、フィードバックされた修正済みの診断結果と、これに関連付けられた取得データと学習することで、機能的な成長を図ることができる。
【００２５】
以下、実施例１の検眼部１０の構成を、図２に基づいて説明する。
【００２６】
検眼部１０は、図２に示すように、検眼系１１と、装置側制御部１２（データ送信部、結果受信部）と、装置側表示部１３（結果表示部）と、を有し、検眼系１１に設けられた対物レンズ１１ｃを介して被検眼Ｅを撮影する。
【００２７】
検眼系１１は、被検眼Ｅの眼特性を検査する光学系であり、検眼部１０では、この検眼系１１を介して被検眼Ｅを撮影する。すなわち、検眼系１１は撮影に必要な光学系であり、主に投射系１１ａと、受光系１１ｂ（画像取得部）と、対物レンズ１１ｃと、ビームスプリッタ１１ｆと、を有している。
【００２８】
投射系１１ａは、光源１１ｄから被検眼Ｅの眼底に向けて光束を照射（投光）する光学系であり、光源１１ｄや図示しない集光レンズ等を有する。なお、光源１１ｄは、被検眼Ｅやテスト被写体を撮影するための照明光源としても用いられる。
【００２９】
受光系１１ｂは、被検眼Ｅからの反射光や、対物レンズ１１ｃの前に設置されたテスト被写体からの反射光を撮像素子１１ｅで受光する光学系であり、撮像素子１１ｅや図示しないリレーレンズ、絞り、結像レンズ等を有する。撮像素子１１ｅは、受光した二次元パターン像の画像情報から被検眼Ｅの撮影画像や、テスト被写体の撮影画像を取得し、装置側制御部１２に出力する。なお、撮像素子１１ｅとしては、エリアＣＣＤ等の受光素子を用いることができる。ここで、「テスト被写体」とは、対物レンズ１１ｃ等の検眼系１１に設けられた各種レンズの状態（ゴミや汚れ、傷の付着状態等）を確認する際に使用される予め決められた被写体である。検眼部１０が眼底カメラの場合には、テスト被写体として白い紙等の白色反射物を用いる。また、検眼部１０がオートレフラクトメータの場合には、テスト被写体として模型眼を用いる。
【００３０】
対物レンズ１１ｃは、検眼系１１に設けられたレンズの一つであり、被検眼Ｅに対向する位置に設けられ、検眼部１０の筐体外部に露出している。ビームスプリッタ１１ｆは、対物レンズ１１ｃと投射系１１ａ及び受光系１１ｂとの間に配置されている。このビームスプリッタ１１ｆは、投射系１１ａからの光束を被検眼Ｅに導き、被検眼Ｅ及びテスト被写体からの反射光を受光系１１ｂの撮像素子１１ｅに導く。
【００３１】
装置側制御部１２は、マイクロプロセッサ、ＲＡＭ、ＲＯＭ、ハードディスクドライブ、通信インターフェース等を有し、ユーザ等によって操作される図示しない操作部から出力される操作信号に基づいて、検眼系１１の各部を制御する。また、この装置側制御部１２は、受光系１１ｂにて取得したテスト被写体や被検眼Ｅの撮影画像に基づいて取得データを取得し、この取得データを、ネットワークＮを介して管理サーバ１０２へと送信する。また、装置側制御部１２は、ネットワークＮを介して管理サーバ１０２から返送された検眼系１１の診断結果を受信し、受信した診断結果を装置側表示部１３に表示させる。さらに、この装置側制御部１２は、受光系１１ｂにて取得した被検眼Ｅの撮影画像を装置側表示部１３に表示させたり、被検眼Ｅの撮影画像に基づいて被検眼Ｅの屈折力等の検査結果を算出したりする。
【００３２】
装置側表示部１３は、例えば液晶画面等によって構成され、検眼部１０を操作するユーザやローカルメンテナンススタッフによって目視可能な位置に設置されている。この装置側表示部１３の表示内容は、装置側制御部１２によって制御され、被検眼Ｅの撮影画像や、被検眼Ｅの検査結果、検眼系１１の診断結果等を表示する。なお、図４には、装置側表示部１３における検眼系１１の診断結果の表示例を示す。図４に示す場合、検眼系１１の診断結果であるメンテナンス指示（破線Ｄで囲む部分）に加え、指示されたメンテナンスの実施手順（破線Ｅで囲む部分）も装置側表示部１３に表示される。
【００３３】
以下、眼科装置１００にて実行されるメンテナンス処理を、図５に示すフローチャートに基づいて説明する。なお、図５に示すフローチャートにおけるステップＳ１〜ステップＳ３及びステップＳ１０、ステップＳ１１の各処理は検眼部１０にて実行される。また、図５に示すフローチャートにおけるステップＳ４〜ステップＳ９の各処理は管理サーバ１０２にて実行される。
【００３４】
ステップＳ１では、テスト被写体を対物レンズ１１ｃの前に設置し、ステップＳ２へ進む。ここで、テスト被写体の設置は、眼科装置１００を直接操作するユーザ又はローカルメンテナンススタッフが必要に応じた適宜のタイミングで行う。
【００３５】
ステップＳ２では、ステップＳ１でのテスト被写体の設置に続き、受光系１１ｂにて、対物レンズ１１ｃの前に設置されたテスト被写体の撮影画像を取得し、ステップＳ３へ進む。ここで、撮影画像の取得は、ユーザ等によって検眼部１０に設けられた撮影ボタンの押下等の所定の撮影操作が行われたことで実行される。
【００３６】
ステップＳ３では、ステップＳ２での撮影画像の取得に続き、装置側制御部１２にて、取得した撮影画像に基づいて得られた取得データ（ここでは、テスト被写体の撮影画像の画像データ）を管理サーバ１０２へ送信し、ステップＳ４へ進む。ここで、取得データの送信は、ユーザ等によって検眼部１０に設けられた送信ボタンの押下等の所定の送信操作が行われたことで実行される。
【００３７】
ステップＳ４では、ステップＳ３での取得データの送信に続き、サーバ側制御部１０７にて、検眼部１０から送信された取得データを受信し、ステップＳ５へ進む。サーバ側制御部１０７で受信された取得データは、ＡＩエンジン１０４のＡＩモデルに入力される。
【００３８】
ステップＳ５では、ステップＳ４での取得データの受信に続き、ＡＩエンジン１０４にて、データメモリ１０３から基準データを読み出し、ステップＳ６へ進む。読み出された基準データは、ＡＩエンジン１０４が有するＡＩモデルに入力される。
【００３９】
ステップＳ６では、ステップＳ５での基準データの読み出しに続き、ＡＩエンジン１０４のＡＩモデルにて、基準データと取得データとを比較し、データ差分を特定して検眼系１１の診断結果を出力し、ステップＳ７へ進む。ここで、基準データと取得データとの比較は、周知の画像マッチング技術等を用いて行う。
【００４０】
ステップＳ７では、ステップＳ６での診断結果の出力に続き、サーバ側制御部１０７にて、基準データと、取得データと、ＡＩエンジン１０４から出力された検眼系１１の診断結果とをサーバ側表示部１０５に表示させ、ステップＳ８へ進む。
【００４１】
ステップＳ８では、ステップＳ７での結果表示に続き、サーバ側制御部１０７にて、診断結果の修正が行われたか否かを判断し、ステップＳ９へ進む。ここで、診断結果の修正は、サーバ側表示部１０５に表示された診断結果を確認した上位メンテナンススタッフが、この診断結果を間違っていると判断したときに行われる。また、この診断結果の修正は、上位メンテナンススタッフがサーバ側入力部１０６を介して入力した情報によって行われる。
【００４２】
ステップＳ９では、ステップＳ８での診断結果の修正有無の判断に続き、サーバ側制御部１０７にて、取得データを送信してきた検眼部１０へ検眼系１１の診断結果を返送し、ステップＳ１０へ進む。ここで、ステップＳ８において、ＡＩエンジン１０４から出力された診断結果が、上位メンテナンススタッフによって修正されたと判断したときには、修正された診断結果が返送される。一方、ステップＳ８において、ＡＩエンジン１０４からの診断結果が修正されていないと判断したときには、ＡＩエンジン１０４から出力された診断結果がそのまま返送される。
【００４３】
ステップＳ１０では、ステップＳ９での診断結果の返送に続き、装置側制御部１２にて、管理サーバ１０２から返送された検眼系１１の診断結果を受信し、ステップＳ１１へ進む。
【００４４】
ステップＳ１１では、ステップＳ１０での診断結果の受信に続き、装置側制御部１２にて、受信した診断結果を装置側表示部１３に表示させ、エンドへ進む。
【００４５】
以下、検眼部１０の検眼系１１のメンテナンスの必要性及び課題について説明する。
【００４６】
眼科装置１００では、一般的に被検眼Ｅに対して投射系１１ａから光束を照射し、被検眼Ｅによって反射された反射光を受光系１１ｂにて受光し、被検眼Ｅの撮影画像を取得する。そして、この取得した被検眼Ｅの撮影画像に基づいて、被検眼Ｅの検査結果を算出する。
【００４７】
ここで、例えば対物レンズ１１ｃにゴミや埃等の異物が付着していると、この異物が撮影画像に影やゴースト、黒点、フレア等の現象として映り込んでしまう。また、各光学素子の位置ずれや、機構動作不良、撮影光量や各種のゲインの設定不備、コントラストの弱さ、カメラ設定の不備等によっても、撮影画像に影やゴースト等が映り込む。しかしながら、一枚の撮影画像を見ただけでは、撮影画像に映り込んだ影等が、被検眼Ｅの病変を原因とするのか、対物レンズ１１ｃに付着した異物や装置の異常等を原因とするのかは判別しにくい。特に、画像上の白点は、単純網膜症の硬性白斑と見分けがつきにくい。また、画像上の黒点は、出血斑と見間違えやすい。すなわち、レンズの汚れや傷等のレンズの不具合や光学素子の位置ずれ等は、検眼結果の精度に影響を生じる可能性もある。そのため、レンズ汚れ等は、検眼前に解消しておきたいという要求がある。
【００４８】
これに対し、眼科装置１００では、一般的に、対物レンズ１１ｃや、測定窓、周辺ケラト測定用の光源等のクリーニングを行うことを取扱説明書や仕様書等で規定している。また、撮影画像の状態に基づいて、対物レンズ１１ｃのクリーニングや照明系レンズのクリーニング等の対応を行うことも規定している。
【００４９】
しかしながら、眼科装置１００の検眼部１０を実際に操作するのは、ユーザやローカルメンテナンススタッフであり、眼科装置１００のメンテナンスに精通していない。つまり、ユーザ等では、撮影画像や、この撮影画像に基づいて得られた測定データからは、対物レンズ１１ｃ等のレンズにゴミが付着しているかというようなレンズ状態を適切に判断することができない。また、検眼系１１の状態によっては、ユーザ等では対応しきれない調整等のメンテナンスが必要な場合が生じ得る。しかしながら、ユーザ等では、撮影画像や測定データから自身でメンテナンスの対応が可能であるか否も判断することが難しい。このため、眼科装置１００の検眼系１１のメンテナンスを適切に行うことができず、レンズ汚れ等の検眼系１１の不具合を検眼前に解消できないという問題がある。
【００５０】
以下、実施例１の眼科装置１００及び眼科装置１００のメンテナンス方法の作用効果を説明する。
【００５１】
実施例１の眼科装置１００において、メンテナンス処理を実行するには、まず、図５に示すフローチャートにおけるステップＳ１、ステップＳ２の処理を順に行う。すなわち、検眼部１０の対物レンズ１１ｃの前にテスト被写体を設置し、検眼部１０の受光系１１ｂによって対物レンズ１１ｃの前に設置されたテスト被写体の撮影画像を取得する。
【００５２】
続いて、ステップＳ３の処理を実行し、検眼部１０の装置側制御部１２によって、撮影画像に基づいて得られた取得データを管理サーバ１０２に送信する。
【００５３】
取得データが送信されたら、管理サーバ１０２のサーバ側制御部１０７は、図５に示すフローチャートにおけるステップＳ４の処理を行い、取得データを受信してＡＩエンジン１０４のＡＩモデルに入力する。ＡＩエンジン１０４は、取得データが入力されたら、ステップＳ５、ステップＳ６の処理を順に行う。すなわち、このＡＩエンジン１０４では、基準データをデータメモリ１０３から読み出してＡＩモデルに入力する。そして、ＡＩモデルにて基準データと取得データとを比較し、データ差分を特定して検眼系１１の診断結果（メンテナンス指示）を算出する。
【００５４】
検眼系１１の診断結果が算出されたら、サーバ側制御部１０７は、ステップＳ７、ステップＳ８、ステップＳ９の処理を順に行い、図３に示すように、基準データと取得データ、ＡＩエンジン１０４から出力された検眼系１１の診断結果をサーバ側表示部１０５に表示させる。そして、診断結果が修正されたと判断したときには、修正された診断結果を検眼部１０へ返送する。一方、診断結果が修正されていないと判断したときには、ＡＩエンジン１０４から出力された診断結果をそのまま検眼部１０へ返送する。
【００５５】
そして、診断結果が返送されたら、検眼部１０の装置側制御部１２では、ステップＳ１０、ステップＳ１１の処理を順に行う。つまり、管理サーバ１０２から返送された診断結果を受信し、図４に示すように、この診断結果を装置側表示部１３によって表示する。
【００５６】
これにより、検眼部１０を直接操作するユーザやローカルメンテナンススタッフは、装置側表示部１３に示された検眼系１１のメンテナンス指示である診断結果を確認することで、対物レンズ１１ｃのクリーニングや機構動作の調整等のメンテナンスの要否や、メンテナンスの的確な対応方法、さらに、メンテナンスの対応者（ユーザ又はローカルメンテナンススタッフが処置するのか、上位メンテナンススタッフが対応するのか、メーカに修理を依頼するのか等）を把握することができる。このため、検眼部１０のメンテナンスの実施が、管理サーバ１０２側のＡＩエンジン１０４や上位メンテナンススタッフによってサポートされ、検眼部１０のメンテナンスに精通していないユーザやローカルメンテナンススタッフであっても、対物レンズ１１ｃ等の検眼系１１のメンテナンスを適切に行うことができる。これにより、検眼前に予めレンズ汚れ等の検眼系１１の不具合を解消することが可能になり、適切な検眼を実施でき、検眼精度の低下の防止を図ることができる。
【００５７】
また、この眼科装置１００では、ネットワークＮを介して検眼部１０から取得データを管理サーバ１０２へと送信し、ネットワークＮを介して管理サーバ１０２から検眼部１０へと診断結果が送信される。つまり、眼科装置１００のメンテナンスをネットワークＮを介して管理サーバ１０２でサポートできるため、上位メンテナンススタッフを検眼部１０の元へ派遣することができなくても、メンテナンスサービスの迅速な対応が可能となる。
【００５８】
さらに、管理サーバ１０２では、受信した取得データと基準データとを比較し、診断結果を出力して返送するだけであり、実際のメンテナンス（レンズクリーニング等）は、可能であれば検眼部１０を直接操作するユーザ等が行う。そのため、一台の管理サーバ１０２によって、多数の検眼系１１のメンテナンス状態を監視することが可能となる。また、ユーザ等がメンテナンスを行うことで、メンテナンス費用の削減を図ることもできる。
【００５９】
また、実施例１の眼科装置１００では、テスト被写体の撮影画像に基づいて得られる取得データとして、撮影画像の画像データを用いる。これにより、撮影画像の見た目を検眼系１１の状態の推定パラメータとして用いることができ、検眼系１１の状態推定の精度を向上することができる。なお、撮影画像は動画であってもよく、この場合であっても撮影画像の見た目に基づいて、検眼系１１の状態を推定することができる。
【００６０】
そして、この実施例１の眼科装置１００では、管理サーバ１０２がＡＩエンジン１０４を備えている。そして、ＡＩエンジン１０４は、学習済みのＡＩモデル（学習済みモデル）を有し、このＡＩモデルを用いて基準データと取得データであるテスト被写体の撮影データとを比較してデータ差分を特定し、特定したデータ差分に基づいて検眼系１１の診断結果を出力する。
【００６１】
このため、管理サーバ１０２における診断結果の出力を人手に頼らずに自動的に行うことができ、人的要員を不要とすることができる。また、基準データと取得データとの比較に基づく診断結果の出力をＡＩエンジン１０４で行うことで、判断基準の統一化を図ることができ、診断結果の品質のばらつきを抑制することができる。
【００６２】
さらに、この実施例１では、管理サーバ１０２がサーバ側表示部１０５と、サーバ側入力部１０６とを備え、基準データと、取得データと、ＡＩエンジン１０４から出力された診断結果とを、サーバ側表示部１０５に表示する。これにより、サーバ側表示部１０５の表示内容を確認した上位メンテナンススタッフが、ＡＩエンジン１０４から出力された診断結果を間違っていると判断したときには、サーバ側入力部１０６を介して診断結果が修正され、この修正された診断結果が返送される。すなわち、上位メンテナンススタッフによって判断された診断結果を、管理サーバ１０２から検眼部１０へと返送することができる。
【００６３】
（実施例２）
以下、実施例２の眼科装置２００の構成を、図７に基づいて説明する。なお、実施例１と同様の構成については、実施例１と同一の符号を付し、詳細な説明を省略する。
【００６４】
実施例２の眼科装置２００は、検眼系１１と、データ判断部２０と、装置側制御部１２と、装置側表示部１３（結果表示部）と、を有し、検眼系１１に設けられた対物レンズ１１ｃを介して被検眼Ｅを検査する。ここで、検眼系１１、データ判断部２０、装置側制御部１２、装置側表示部１３は、ＬＡＮケーブル２０２を介して相互に接続されると共に、装置筐体２０１に内蔵されている。
【００６５】
データ判断部２０は、データメモリ１０３と、ＡＩエンジン１０４と、を備えている。ここで、データメモリ１０３は、実施例１と同様の構成であるため、詳細な説明は省略する。
【００６６】
一方、このデータ判断部２０のＡＩエンジン１０４には、装置側制御部１２からテスト被写体の撮影画像に基づいて得られた取得データ（例えば、撮影画像の画像データ）がＬＡＮケーブル２０２を介して入力される。また、ＡＩエンジン１０４は、取得データが入力されたら、基準データをデータメモリ１０３から読み出す。そして、このＡＩエンジン１０４は、自身が有する学習済みのＡＩモデルに、装置側制御部１２から入力された取得データと、データメモリ１０３から読み出した基準データとを入力する。ＡＩモデルは、入力された基準データと取得データとを比較し、この比較の結果、基準データと取得データとのデータ差分を特定し、特定したデータ差分に基づいて対物レンズ１１ｃの汚れや各種機構の動作不良等のデータ差分の発生原因を推定する。そして、推定したデータ差分の発生原因に応じて検眼系１１の診断結果を特定する。ＡＩモデルにて特定された診断結果は、ＡＩエンジン１０４から出力され、ＬＡＮケーブル２０２を介して装置側制御部１２へ入力される。
【００６７】
装置側制御部１２は、受光系１１ｂの撮像素子１１ｅによって、対物レンズ１１ｃの前に設置されたテスト被写体の撮影画像を取得したら、この撮影画像の画像データを取得する。そして、取得した画像データを取得データとして、ＬＡＮケーブル２０２を介してデータ判断部２０に入力する。また、この装置側制御部１２には、データ判断部２０から出力された検眼系１１の診断結果が、ＬＡＮケーブル２０２を介して入力される。
【００６８】
そして、この実施例２の眼科装置２００においても、装置側制御部１２に入力された検眼系１１の診断結果は装置側表示部１３に表示され（図４参照）、眼科装置２００を操作するユーザやローカルメンテナンススタッフによって目視可能となっている。
【００６９】
以下、実施例２の眼科装置２００の作用効果を説明する。
【００７０】
すなわち、実施例２の眼科装置２００では、まず、検眼系１１に設けた対物レンズ１１ｃの前に設置されたテスト被写体を撮影し、テスト被写体の撮影画像を取得する。さらに、この撮影画像の画像データを取得データとして取得する。そして、装置側制御部１２からＬＡＮケーブル２０２を介して取得データ（撮影画像の画像データ）をデータ判断部２０に入力する。
【００７１】
データ判断部２０では、装置側制御部１２から入力された取得データを、ＡＩエンジン１０４のＡＩモデルに入力する。ＡＩエンジン１０４は、基準データをデータメモリ１０３から読み出してＡＩモデルに入力する。そして、ＡＩモデルを用いて基準データと取得データとを比較してデータ差分を特定し、特定したデータ差分に基づいてデータ差分の発生原因を推定し、検眼系１１の診断結果（メンテナンス指示）を算出する。
【００７２】
検眼系１１の診断結果がＡＩエンジン１０４によって算出されたら、データ判断部２０から検眼系１１の診断結果を出力する。この診断結果は、ＬＡＮケーブル２０２を介して装置側制御部１２に入力され、装置側表示部１３に表示される。
【００７３】
このように、実施例２の眼科装置２００であっても、眼科装置２００を直接操作するユーザやローカルメンテナンススタッフは、装置側表示部１３に示された検眼系１１の診断結果（メンテナンス指示）を確認することで、対物レンズ１１ｃ等のレンズクリーニングの要否や、各光学素子の位置ずれ修正、撮影光量や各種ゲインの設定調整等の必要なメンテナンスを把握することができる。このため、眼科装置２００のメンテナンスに精通していないユーザやローカルメンテナンススタッフであっても、検眼系１１のメンテナンスを適切に行うことができ、検眼前に予めレンズ汚れ等の検眼系１１の不具合を解消することが可能になる。
【００７４】
また、実施例２の眼科装置２００では、データ判断部２０と装置側制御部１２とがＬＡＮケーブル２０２によって接続され、装置筐体２０１に内蔵されている。これにより、ネットワークＮを介することなく情報の入出力を行うことができる。
【００７５】
以上、本発明の眼科装置及び眼科装置のメンテナンス方法を実施例１及び実施例２に基づいて説明してきたが、具体的な構成については、これらの実施例に限定されるものではなく、特許請求の範囲の各請求項に係る発明の要旨を逸脱しない限り、設計の変更や追加等は許容される。
【００７６】
実施例１及び実施例２では、撮影画像に基づいて得られる取得データとして、テスト被写体の撮影画像の画像データを用いる例を示したが、これに限らない。取得データとして、例えば、撮影画像を解析して得られた測定データを用いてもよい。なお、測定データとは、例えば、模型眼を撮影したリング画像から算出される模型眼の球面度数や円柱度数、円柱軸、屈折率等である。
【００７７】
また、上述の実施例1及び実施例２では、予めテスト被写体を対物レンズ１１ｃの前に設置し、このテスト被写体の撮影画像の画像データを取得データとして用いる例を示したが、これに限らない。被検眼Ｅの撮影画像の画像データや、被検眼Ｅの撮影画像を解析して得られた測定データを取得データとして用いてもよい。この場合、テスト被写体の設置は不要となる。つまり、検眼系１１によって撮影した画像であれば、撮影対象がテスト被写体や被検眼Ｅのいずれであっても取得データを得ることが可能である。
【００７８】
さらに、撮影画像に基づいて得られる取得データとして、「撮影画像の画像データ」と「撮影画像を解析して得られた測定データ」の双方を用いてもよい。画像データ及び測定データを取得データとして用いる場合には、検眼系１１の状態を多角的な観点から推定することができ、検眼系状態の推定精度を向上することができる。さらに、このときには、図８に示すように、装置側表示部１３には、撮影画像であるリング画像（破線Ｆで囲む部分）と、基準データである正常画像の画像データ（破線Ｇで囲む部分）と、取得データである測定データ（破線Ｈで囲む部分）と、診断結果であるメンテナンス指示（破線Ｊで囲む部分）と、を表示してもよい。なお、図８に示す例では、メンテナンスの対応者も診断結果として表示している。これにより、メンテナンス対応者の切り分けも明確にすることができる。
【００７９】
また、実施例１では、管理サーバ１０２がＡＩエンジン１０４を有し、ＡＩエンジン１０４の有するＡＩモデルによって検眼系１１の診断結果を算出し、ＡＩエンジン１０４から出力する。そして、このＡＩエンジン１０４から出力された診断結果が、上位メンテナンススタッフによって間違っていると判断されたとき、サーバ側入力部１０６を介して入力された診断結果が返送される例を示した。つまり、実施例１では、基本的にはＡＩエンジン１０４によるレンズ状態の推定及びメンテナンス指示が行われ、上位メンテナンススタッフによるレンズ状態の推定やメンテナンス指示は補助的なものであった。
【００８０】
しかしながら、これに限らない。例えば、管理サーバ１０２がサーバ側表示部１０５と、サーバ側入力部１０６を備え、サーバ側表示部１０５に表示された撮影画像の画像データや測定データ等の取得データと基準データを確認した上位メンテナンススタッフによって、サーバ側入力部１０６を介して診断結果を入力し、この上位メンテナンススタッフが入力した診断結果を返送してもよい。この場合、上位メンテナンススタッフの判断に基づいて入力され診断結果が常に検眼部１０へ返送されることになる。
【００８１】
このように、管理サーバ１０２における取得データと基準データとの比較及びこの比較に基づく検眼系１１の診断結果の出力は、機械的に行ってもよいし、人的に行ってもよい。いずれにしても、検眼部１０を直接操作するユーザやローカルメンテナンススタッフ等の検眼部１０のメンテナンスに精通していない人の判断は不要としつつ、適切な検眼系１１のメンテナンスを実施することができる。
【００８２】
また、実施例１では、検眼部１０を直接操作するユーザやローカルメンテナンススタッフによってテスト被写体の設置が適宜行われ、テスト被写体が設置されたときに撮影画像を取得する例を示したが、これに限らない。例えば、テスト被写体を、検眼終了時に測定窓に嵌めるキャップの内側を白くした白色反射物や、検眼終了時にアタッチメントであご受けに取り付けられる模型眼とする。そして、キャップや模型眼が取り付けられたタイミングで自動的に撮影画像を取得するようにし、この撮影画像が予め設定された所定の間隔（例えば、検眼が終了するごと）で管理サーバ１０２に定期的に送信されるようにしてもよい。
【００８３】
これにより、検眼系１１のメンテナンスを所定の間隔で行うことができ、メンテナンス間隔が不要に広がってしまうことを防止できる。また、レンズ汚れ等の検眼系１１の不具合が発生しても、速やかに発見して解消することが可能となる。さらに、定期的にメンテナンスを行うことで、検眼系１１の不具合の発生を事前に防止することもできる。
【００８４】
また、実施例１では、診断結果が、検眼系１１のメンテナンス指示（例えば、「対物レンズをクリーニングしてください」等）に加え、メンテナンスの実施手順（レンズのクリーニング方法）も表示する例を示した。これにより、メンテナンスの実施手順を把握していなくても、マニュアル等を確認する必要がなく、簡単に検眼系１１のメンテナンスを行うことができる。さらに、メンテナンス指示に加えて、ユーザに対するアドバイスや、ローカルメンテナンススタッフへの教育的な指示等を必要に応じて追加してもよい。
【００８５】
また、実施例１及び実施例２では、検眼系１１に設けたレンズとして対物レンズ１１ｃを示したが、これに限らない。例えば、集光レンズやリレーレンズ、結像レンズ、コリメートレンズ等、投射系１１ａや受光系１１ｂ等の被検眼Ｅの撮影に必要な光学系に設けたレンズであればよい。
【符号の説明】
【００８６】
１００  眼科装置
１０    検眼部
１１    検眼系
１１ａ  投射系
１１ｂ  受光系（画像取得部）
１１ｃ  対物レンズ
１１ｄ  光源
１１ｅ  撮像素子
１２    装置側制御部（データ送信部、結果受信部）
１３    装置側表示部（結果表示部）
１００  メンテナンスシステム
１０２  管理サーバ（データ判断部）
１０３  データメモリ
１０４  ＡＩエンジン（人工知能処理部）
１０５  サーバ側表示部（表示部）
１０６  サーバ側入力部（入力部）
１０７  サーバ側制御部
Ｅ      被検眼
Ｎ      ネットワーク
【図１】
2020156862.tif 000003
【図２】
2020156862.tif 000004
【図３】
2020156862.tif 000005
【図４】
2020156862.tif 000006
【図５】
2020156862.tif 000007
【図６】
2020156862.tif 000008
【図７】
2020156862.tif 000009
【図８】
2020156862.tif 000010